(57)【要約】無線通信ネットワークに効率的なチャネル割当ておよび通信を提供するシステムおよび方法が説明される。システムリソースは、物理層フレーム内で基地局と端末の間の通信のためにトラフィックチャネルに割り当てられることが可能であり、その一部は肯定応答チャネルのために利用可能にされてよい。肯定応答チャネルのためのリソースは、次に、肯定応答チャネルに割り当てられたリソースが、トラフィックチャネルに割り当てられたリソース内の肯定応答チャネルのために利用可能リソースの一部だけを占有するように割り当てられることができる。肯定応答チャネルが肯定応答チャネルにとって利用可能部分だけを占有するように肯定応答チャネルをスケジュールすることによって、トラフィックデータおよび肯定応答は、それらの各々のチャネル上で無線通信システムでより効率的に通信されることができる。
2009538064.tif 000002
【特許請求の範囲】
【請求項１】
無線通信システムでの効率的なチャネル割当て方法であって、
肯定応答（ＡＣＫ）チャネルのための利用可能リソースを含む第１システムリソースを逆方向リンクフレーム上の端末との通信のためのトラフィックチャネルに割り当て、
複数の第２システムリソースを前記逆方向リンクフレーム上の前記端末との通信のための前記ＡＣＫチャネルに割り当てることを備え、前記ＡＣＫチャネルに割り当てられた前記第２システムリソースは前記第１システムリソースにおいて前記利用可能リソースの一部だけを占有する方法。
【請求項２】
前記第１システムリソースはデータタイルに対応し、前記データタイルは複数の周波数副搬送波上で変調された複数のＯＦＤＭシンボルから構成される請求項１に記載の方法。
【請求項３】
前記複数のＯＦＤＭシンボルは８個のＯＦＤＭシンボルであり、前記複数の周波数副搬送波は１６個の周波数副搬送波であり、前記第１システムリソースおよび前記第２システムリソースは５ＭＨｚのシステム帯域幅全体から割り当てられる請求項２に記載の方法。
【請求項４】
前記複数のＯＦＤＭシンボルは８個のＯＦＤＭシンボルであり、前記複数の周波数副搬送波は８個の周波数副搬送波であり、前記第１システムリソースおよび前記第２システムリソースは１．２５ＭＨｚまたは２．５ＭＨｚのシステム帯域幅全体から割り当てられる請求項２に記載の方法。
【請求項５】
前記データタイルは複数のパイロットシンボルおよび複数のデータシンボルを含み、前記パイロットシンボルは１以上の所定周波数副搬送波上で変調された１以上のグループの連続ＯＦＤＭシンボルからなるグループ内に配置され、前記データシンボルは前記データタイルにおいて他の位置の全てに配置される請求項２に記載の方法。
【請求項６】
前記第２システムリソースは前記データタイル内で１以上のＡＣＫＣＨサブタイルに対応し、前記ＡＣＫＣＨサブタイルは前記データタイル内の前記複数の周波数副搬送波の全体未満上で変調された前記データタイル内の前記複数のＯＦＤＭシンボルの全体未満を集合的に占有する請求項５に記載の方法。
【請求項７】
前記データタイル内の各ＡＣＫＣＨサブタイルは８個の周波数副搬送波上で変調された２個のＯＦＤＭシンボルを占有する請求項６に記載の方法。
【請求項８】
前記ＡＣＫＣＨサブタイルは、前記データタイル内の前記パイロットシンボルのグループ内の各々において前記パイロットシンボルの全体未満を集合的にパンクチャ(puncture)する請求項６に記載の方法。
【請求項９】
前記第１システムリソースおよび前記第２システムリソースのうちの少なくとも一方の割当てを順方向リンクフレーム上の前記端末に伝送することをさらに備える請求項１に記載の方法。
【請求項１０】
前記第１システムリソースを使用して、前記逆方向リンクフレーム上の前記端末からトラフィックデータを受信することをさらに備える請求項９に記載の方法。
【請求項１１】
前記第２システムリソースを使用して、前記逆方向リンクフレーム上の前記端末から肯定応答および否定応答のうちの少なくとも一方を受信することをさらに備える請求項９に記載の方法。
【請求項１２】
通信のための利用可能帯域幅およびアクセス端末に関するデータを記憶するメモリと、
利用可能肯定応答帯域幅を含む前記利用可能帯域幅の第１部分を逆方向リンクフレーム上の前記アクセス端末との通信のためのトラフィックチャネルに割り当て、前記利用可能肯定応答帯域幅の全体未満を占有する前記利用可能肯定応答帯域幅の第２部分を前記逆方向リンクフレーム上の前記アクセス端末との通信のための肯定応答チャネルに割り当てるように構成されるプロセッサとを備える無線通信装置。
【請求項１３】
前記プロセッサは、前記利用可能帯域幅の前記割り当てた第１部分および前記利用可能帯域幅の前記割り当てた第２部分のうちの少なくとも一方を順方向リンク上の前記アクセス端末に伝送するようにさらに構成される請求項１２に記載の無線通信装置。
【請求項１４】
前記利用可能帯域幅の前記割り当てた第１部分および前記利用可能帯域幅の前記割り当てた第２部分のうちの少なくとも一方が前記順方向リンク内のフレーム上の前記アクセス端末に伝送される請求項１３に記載の無線通信装置。
【請求項１５】
通信のための前記利用可能帯域幅は５ＭＨｚ周波数帯域に対応し、前記順方向リンク内の前記フレームは順方向リンクスーパーフレーム内に配置され、前記順方向リンクスーパーフレームはスーパーフレームプリアンブルおよび２４個のフレームを含む請求項１４に記載の無線通信装置。
【請求項１６】
通信のための前記利用可能帯域幅は２．５ＭＨｚ周波数帯域または１．２５ＭＨｚ周波数帯域に対応し、前記順方向リンク内の前記フレームは順方向リンクスーパーフレーム内に配置され、前記順方向リンクスーパーフレームはスーパーフレームプリアンブルおよび４８個のフレームを含む請求項１４に記載の無線通信装置。
【請求項１７】
前記利用可能帯域幅の前記割り当てた第１部分および前記利用可能帯域幅の前記割り当てた第２部分のうちの少なくとも一方は前記順方向リンク内のスーパーフレームプリアンブル上の前記アクセス端末に伝送される請求項１３に記載の無線通信装置。
【請求項１８】
通信のための前記利用可能帯域幅は５ＭＨｚ周波数帯域に対応し、前記スーパーフレームプリアンブルは８個のＯＦＤＭシンボルを含む請求項１７に記載の無線通信装置。
【請求項１９】
通信のための前記利用可能帯域幅は２．５ＭＨｚ周波数帯域に対応し、前記スーパーフレームプリアンブルは１６個のＯＦＤＭシンボルを含む請求項１７に記載の無線通信装置。
【請求項２０】
通信のための前記利用可能帯域幅は１．２５ＭＨｚ周波数帯域に対応し、前記スーパーフレームプリアンブルは３２個のＯＦＤＭシンボルを含む請求項１７に記載の無線通信装置。
【請求項２１】
前記プロセッサは、利用可能帯域幅の前記割り当てた第１部分を使用して前記アクセス端末からトラフィックデータを受信し、利用可能帯域幅の前記割り当てた第２部分を使用して前記アクセス端末から肯定応答を受信するようにさらに構成される請求項１２に記載の無線通信装置。
【請求項２２】
前記利用可能帯域幅の前記第１部分は複数の周波数副搬送波上で変調された複数のＯＦＤＭシンボルによって提供され、前記利用可能帯域幅の前記第２部分は前記複数のＯＦＤＭシンボルの全体未満によって提供された帯域幅を占有する請求項１２に記載の無線通信装置。
【請求項２３】
無線通信システムでの効率的なチャネル割当てを容易にする装置であって、
複数の変調シンボルの各々について複数のトーンからなるリソースを有するデータタイルに対応する端末との通信のためのトラフィックチャネルにリソースを割り当てる手段と、
前記端末との通信のための前記肯定応答チャネルにリソースを割り当てて、前記肯定応答チャネルのためにスケジュールされたリソースが前記データタイル上の前記複数の変調シンボルの一部を占有するようにする手段とを備える装置。
【請求項２４】
前記割当てリソースを使用して前記逆方向リンクフレーム上の前記端末と通信する手段をさらに備える請求項２３に記載の装置。
【請求項２５】
無線通信システムでのチャネル構造化のためのコンピュータ実行可能命令を記憶して備えるコンピュータ可読媒体であって、これら命令は、
利用可能肯定応答帯域幅を含むトラフィック帯域幅を無線端末との通信に割り当て、
肯定応答帯域幅を前記利用可能肯定応答帯域幅の全体未満上での前記無線端末との通信に割り当て、
前記肯定応答帯域幅および前記トラフィック帯域幅の割当てを前記無線端末に伝送することを備えるコンピュータ可読媒体。
【請求項２６】
前記トラフィック帯域幅は複数のＯＦＤＭシンボルに対応し、前記肯定応答帯域幅は前記複数のＯＦＤＭシンボルの一部に対応する帯域幅を占有する請求項２５に記載のコンピュータ可読媒体。
【請求項２７】
トラフィック帯域幅の前記割当ておよび肯定応答帯域幅の前記割当ては、利用可能システム帯域幅からの帯域幅の割当てを含む請求項２５に記載のコンピュータ可読媒体。
【請求項２８】
前記利用可能システム帯域幅は５ＭＨｚ周波数帯域、２．５ＭＨｚ周波数帯域、または１．２５ＭＨｚ周波数帯域上での複数の周波数副搬送波に対応する請求項２７に記載のコンピュータ可読媒体。
【請求項２９】
前記割当てトラフィック帯域幅を使用して前記無線端末からトラフィックデータを受信すること、および前記割り当てた肯定応答帯域幅を使用して前記無線端末から肯定応答を受信することの１以上に関する命令をさらに備える請求項２５に記載のコンピュータ可読媒体。
【請求項３０】
無線通信環境での効率的なチャネル割当てのためのコンピュータ実行可能命令を実行するプロセッサであって、これら命令は、
複数の周波数副搬送波上で変調された複数の変調シンボルに対応する利用可能システム帯域幅の第１部分を１以上の端末との通信のためのトラフィックチャネルに割り当て、
前記利用可能システム帯域幅の第１部分に対応する前記変調シンボルの全体未満をパンクチャ(puncture)する前記利用可能システム帯域幅の第２部分を前記１以上の端末との通信のための肯定応答チャネルに割り当てることを備えるプロセッサ。
【請求項３１】
無線通信システムでの効率的な通信のための方法であって、
トラフィックチャネルおよび肯定応答チャネルのためのスケジュールシステムリソースを受信して、肯定応答帯域幅のための前記システムリソースが前記肯定応答チャネルについて利用可能にされた前記トラフィックチャネルのための前記システムリソースの一部をパンクチャし、
前記スケジュールシステムリソースを使用して、トラフィックデータ、暗黙的肯定応答、および明示的肯定応答のうちの１以上を基地局に伝送することを備える方法。
【請求項３２】
前記トラフィック帯域幅はデータタイルに対応し、データタイルが複数の周波数副搬送波上で変調された複数のＯＦＤＭシンボルから構成される請求項３１に記載の方法。
【請求項３３】
前記肯定応答帯域幅は前記データタイル内の１以上の肯定応答サブタイルに対応し、前記肯定応答サブタイルは前記データタイル内の前記複数の周波数副搬送波の全体未満上で変調された前記データタイル内の前記複数のＯＦＤＭシンボルの全体未満を集合的に占有する請求項３２に記載の方法。
【請求項３４】
前記データタイルは複数のパイロットシンボルを含み、前記肯定応答サブタイルは前記データタイル内の前記パイロットシンボルの全体未満を集合的にパンクチャする請求項３２に記載の方法。
【請求項３５】
トラフィックチャネルに対する変調シンボルの割当て、並びに前記トラフィックチャネルのための前記変調シンボルの一部を占有する肯定応答チャネルに対する変調シンボルの割当て関するデータを記憶するメモリと、
前記トラフィックチャネルに対応する前記変調シンボルについてのトラフィックデータおよび前記肯定応答チャネルに対応する前記変調シンボルについての肯定応答のうちの１以上を伝送するように構成されるプロセッサとを備える無線通信装置。
【請求項３６】
無線通信システムでの効率的な通信を容易にする装置であって、
利用可能肯定応答帯域幅を含むトラフィックチャネル、並びに前記利用可能肯定応答帯域幅の全体未満を占有する肯定応答チャネルに対応する通信スケジュール帯域幅を受信する手段と、
前記スケジュール帯域幅を使用して、トラフィックデータおよび肯定応答の１以上をアクセスポイントに伝送する手段とを備える装置。
【請求項３７】
無線通信システムでの効率的な通信のためのコンピュータ実行可能命令を記憶して備えるコンピュータ可読媒体であって、これら命令は、
前記複数の変調シンボルについて前記肯定応答チャネルのための割当て帯域幅および前記トラフィックチャネルのための割当て帯域幅を含み、前記肯定応答チャネルのための割当て帯域幅が前記複数の変調シンボルの一部について前記トラフィックチャネルのための割当て帯域幅を占有するようにした通信スケジュールを受信し、
前記割当て帯域幅を使用して、トラフィックデータおよび肯定応答データのうちの１以上を伝送することを備えるコンピュータ可読媒体。
【請求項３８】
前記通信スケジュールは前記順方向リンク内のフレーム上で受信される請求項３７に記載のコンピュータ可読媒体。
【請求項３９】
前記通信スケジュールは前記順方向リンク内のスーパーフレームプリアンブル上で受信される請求項３７に記載のコンピュータ可読媒体。
【請求項４０】
無線通信環境での通信のためのコンピュータ実行可能命令を実行するプロセッサであって、これら命令は、
利用可能肯定応答帯域幅を含むスケジュールトラフィック帯域幅、および前記利用可能肯定応答帯域幅の一部だけを占有するスケジュール肯定応答帯域幅を取得し、
前記スケジュールトラフィック帯域幅を使用してトラフィックデータを基地局に伝送し、
前記スケジュール肯定応答帯域幅を使用して肯定応答、明示的な否定応答、および暗黙的な否定応答のうちの少なくとも１つを前記基地局に伝送することを備えるプロセッサ。
【請求項４１】
前記スケジュールトラフィック帯域幅は複数の変調シンボルに対応し、前記スケジュール肯定応答帯域幅は前記複数の変調シンボルの一部に対応する前記スケジュールトラフィック帯域幅の一部を占有する請求項４０に記載のプロセッサ。
【発明の詳細な説明】
【技術分野】
【０００１】
本願は２００６年５月１８日に出願した「ＥＦＦＩＣＩＥＮＴ  ＣＨＡＮＮＥＬ  ＳＴＲＵＣＴＵＲＥ ＦＯＲ ＷＩＲＥＬＥＳＳ  ＣＯＭＭＵＮＩＣＡＴＩＯＮ  ＳＹＳＴＥＭ」という表題の米国仮出願第６０／８０１，７９５号の恩恵を受ける権利を主張し、仮出願全体を参照してここに組み込むものとする。
【０００２】
本発明は一般に無線通信に関し、より具体的には、無線通信システムにおいてリソースを割り当てる技術に関する。
【背景技術】
【０００３】
無線通信システムは、近年において普及した手段であり、これにより世界的に大多数の人々が通信をするようになった。このようなシステムは、一般に伝送リソースをチャネルの形式で生成するために異なるアプローチを採用している。このようなシステムの具体例は、符号分割多重化（ＣＤＭ）システム、周波数分割多重化（ＦＤＭ）システム、時分割多重化（ＴＤＭ）システム、および直交周波数分割多重化（ＯＦＤＭ）システムを含む。
【０００４】
さらに、無線通信装置は、近年、消費者ニーズを満たすと共に携帯性および利便性を改善するためにより小さくてより強力になった。移動通信電話などの移動体装置での処理能力の増大は、効率的な無線ネットワーク伝送への要求の増大につながった。しかし、無線通信システムは、通常、システム上で通信する移動通信装置のように簡単に更新されない。移動体装置の性能が拡大するにつれて、新規の改善された無線装置性能の十分な活用を容易にする仕方で古い方の無線ネットワークシステムを保全することは慣例的に困難になっている。従って、無線通信システムで実現可能な効率的な伝送方式の必要性が当技術分野に存在する。
【発明の概要】
【０００５】
以下に、開示した実施形態の基本的な理解を得るために、係る実施形態の簡略化した概要を提示する。この概要は、全ての検討した実施形態の広範囲な概要ではなく、主要なエレメントや重要なエレメントを特定したり、係る実施形態の範囲を描写したりすることを意図しない。その唯一の目的は、後述されるより詳細な説明の前置きとして、開示した実施形態のいくつかの概念を簡素化した形で提示することである。
【０００６】
記載の実施形態は、無線ネットワーク伝送のための効率的なチャネル構造を提供することによって上述の問題を軽減する。特に、１以上の実施形態は、システムリソースを物理層フレーム内の基地局と端末との間の通信のために使用できるトラフィックチャネルに割り当てることが可能である。システムリソースは、例えば、データタイル（data tile）に対応し得る。さらに、データタイルに対応するシステムリソースの一部は、肯定応答チャネルのために利用可能である。肯定応答チャネルのためのシステムリソースは、そこで肯定応答チャネルがトラフィックチャネルに割り当てられたリソース内の肯定応答チャネルのために利用可能なリソースの一部だけを占有するように、物理層フレーム内で割り当てられることができる。例えばトラフィックチャネルに割り当てられたデータタイルは、その一部が肯定応答チャネルのために利用可能な複数のサブタイルから構成してよい。肯定応答チャネルは、そこで肯定応答チャネルが利用可能サブタイルのいくつかだけを占有するように、データファイル内に割り当てられることができる。肯定応答チャネルが肯定応答チャネルに利用可能なリソースの一部だけを占有するように肯定応答チャネルをスケジュールすることによって、トラフィックデータおよび肯定応答はこれらそれぞれのチャネル上でより効率的に通信できる。これにより、システムリソースはより効率的に使用でき、より少ないシステム帯域幅を持てるシステムは、現行の移動通信装置の要求により適切に対処できる。
【０００７】
一観点によれば、無線通信システムでの効率的なチャネル割当てのための方法がここに記載される。この方法は、肯定応答（ＡＣＫ）チャネルのために利用可能なリソースを含む第１システムリソースを逆方向リンクフレーム上の端末との通信のためのトラフィックチャネルに割り当てることを含んでよい。加えて、この方法は、第２システムリソースを逆方向リンクフレーム上の端末との通信のためのＡＣＫチャネルに割り当てることを含んでよく、ＡＣＫチャネルに割り当てられた第２システムリソースは第１システムリソースにおいて利用可能リソースの一部だけを占有する。
【０００８】
他の一観点は、通信のための利用可能帯域幅およびアクセス端末に関するデータを記憶するメモリを備えてよい無線通信装置に関する。この無線通信装置は、利用可能肯定応答帯域幅を含む利用可能帯域幅の第１部分を逆方向リンクフレーム上のアクセス端末との通信のためのトラフィックチャネルに割り当て、この利用可能肯定応答帯域幅の全体未満を占有する利用可能帯域幅の第２部分を逆方向リンクフレーム上のアクセス端末との通信のための肯定応答チャネルに割り当てるように構成されるプロセッサをさらに備えてよい。
【０００９】
さらに他の一観点は、無線通信システムでの効率的なチャネル割当てを容易にする装置に関する。この装置は、複数の変調シンボルの各々について複数のトーンからなるリソースを有するデータタイルに対応する端末と通信するためのトラフィックチャネルにリソースを割り当てる手段を備えてよい。さらに、この装置は、この端末との通信のための肯定応答チャネルにリソースを割り当てて、この肯定応答チャネルのためにスケジュールされたリソースがデータタイル上の複数の変調シンボルの一部を占有するようにする手段を備えてよい。
【００１０】
さらに他の一観点は、無線通信システムでのチャネル構造化に関するコンピュータ実行可能命令を記憶して備えるコンピュータ可読媒体に関する。これら命令は、利用可能肯定応答帯域幅を含むトラフィック帯域幅を無線端末との通信に割り当てることを含んでよい。加えて、これら命令は、肯定応答帯域幅を利用可能肯定応答帯域幅の全体未満上での無線端末との通信に割り当てることを含んでよい。さらに、これら命令は肯定応答帯域幅およびトラフィック帯域幅の割当てを無線端末に伝送することを含んでよい。
【００１１】
他の一観点によれば、無線通信環境での効率的なチャネル割当てのためのコンピュータ実行可能命令を実行可能なプロセッサがここに記載される。これら命令は、複数の周波数副搬送波上で変調された複数の変調シンボルに対応する利用可能システム帯域幅の第１部分を１以上の端末との通信のためのトラフィックチャネルに割り当てることを含んでよい。さらに、これら命令は、利用可能システム帯域幅の第１部分に対応する変調シンボルの全体未満をパンクチャする利用可能システム帯域幅の第２部分を１以上の端末との通信のための肯定応答チャネルに割り当てることを含んでよい。
【００１２】
さらに他の一観点によれば、無線通信システムでの効率的な通信のための方法がここに記載される。この方法は、トラフィックチャネルおよび肯定応答チャネルについてスケジュールされたシステムリソースを受信して、肯定応答帯域幅のためのシステムリソースが肯定応答チャネルのために利用可能にされたトラフィックチャネルのためのシステムリソースの一部をパンクチャすることを備えてよい。加えて、この方法はこのトラフィック帯域幅を使用してトラフィックデータを基地局に送信することを含んでよい。さらに、この方法はスケジュールされたシステムリソースを使用してトラフィックデータ、暗黙的な肯定応答、および明示的な肯定応答のうちの１以上を基地局に伝送することを含んでよい。
【００１３】
他の一観点は、トラフィックチャネルに対する変調シンボルの割当て、並びにトラフィックチャネルのための変調シンボルの一部を占有する肯定応答チャネルに対する変調シンボルの割当てに関するデータを記憶するメモリを含んでよい無線通信装置に関する。さらに、無線通信装置はトラフィックチャネルに対応する変調シンボルについてのトラフィックデータおよび肯定応答チャネルに対応する変調シンボルについての肯定応答のうちの１以上を伝送するように構成されるプロセッサを含んでよい。
【００１４】
さらに他の一観点は、無線通信システムでの効率的な通信を容易にする装置に関する。この装置は、利用可能肯定応答帯域幅を含むトラフィックチャネルと、利用可能肯定応答帯域幅の全体未満を占有する肯定応答チャネルとに対応する通信のスケジュール帯域幅を受信する手段を含んでよい。この装置は、スケジュール帯域幅を使用してトラフィックデータおよび肯定応答のうちの１以上をアクセスポイントに伝送する手段をさらに含んでよい。  
さらに他の一観点は、無線ネットワークシステムでの効率的な通信のためのコンピュータ実行可能命令を記憶して備えるコンピュータ可読媒体に関する。これら命令は、複数の変調シンボルについて肯定応答チャネルのための割当て帯域幅およびトラフィックチャネルのための割当て帯域幅を含み、肯定応答チャネルのための割当て帯域幅が複数の変調シンボルの一部についてトラフィックチャネルのための割当て帯域幅を占有するようにした通信スケジュールを受信することを含んでよい。さらに、これら命令は、割当て帯域幅を使用してトラフィックデータおよび肯定応答データのうちの１以上を含んでよい。
【００１５】
他の一観点によれば、無線ネットワーク環境での通信のためのコンピュータ実行可能命令を実行し得るプロセッサがここに記載される。これら命令は、利用可能肯定応答帯域幅を含むスケジュールトラフィック帯域幅、および利用可能肯定応答帯域幅の一部だけを占有するスケジュール肯定応答帯域幅を取得することを含んでよい。加えて、これら命令は、スケジュールトラフィック帯域幅を使用してトラフィックデータを基地局に伝送することを含んでよい。さらに、これら命令はスケジュール肯定応答帯域幅を使用して肯定応答、明示的な否定応答、および暗黙的な否定応答のうちの少なくとも１つを基地局に伝送することを含んでよい。
【００１６】
上述および関連の目標を達成するため、１以上の実施形態は以下に十分に記載し特に特許請求の範囲で指摘した特徴を備える。以下の記載および添付の図面は、開示の実施形態のいくつかの実例的観点を詳細に明らかにする。これら観点は、しかしながら、様々な実施形態の原理が採用され得る様々な方式のほんの少しを示すにすぎない。さらに、開示の実施形態はこうした全ての観点およびこれらの均等物を含むことを意図する。
【図面の簡単な説明】
【００１７】
【図１】ここで明らかにした様々な観点に従って無線多元接続通信システムを示す。
【図２Ａ】様々な観点に様々な観点に従って無線通信環境での効率的な通信を容易にするシステムのブロック図である。
【図２Ｂ】様々な観点に従って無線通信環境での効率的な通信を容易にするシステムのブロック図である。
【図３Ａ】様々な観点に従って無線通信システムで採用し得るデータタイル構造の例を示す図。
【図３Ｂ】様々な観点に従って無線通信システムで採用し得るデータタイル構造の例を示す図。
【図４】様々な観点に従って無線通信システムで採用し得るデータタイル構造の例を示す図である。
【図５】様々な観点に従って肯定応答チャネル性能の例を示す図である。
【図６Ａ】様々な観点に従って効率的な無線ネットワーク伝送を容易にするデータタイル構造の例を示す図である。
【図６Ｂ】様々な観点に従って効率的な無線ネットワーク伝送を容易にするデータタイル構造の例を示す図である。
【図７Ａ】多元接続無線通信システムのためのスーパーフレーム構造の例を示す図である。
【図７Ｂ】多元接続無線通信システムのためのスーパーフレーム構造の例を示す図である。
【図８】無線通信システムでトラフィックチャネルをスケジュールする方法の流れ図である。
【図９】無線通信システムでスケジュールされたトラフィックチャネル上で通信する方法の流れ図である。
【図１０】ここに記載される１以上の実施形態が機能し得る無線通信システムの例を示すブロック図である。
【図１１】様々な観点に従って無線通信環境でのトラフィックチャネルスケジューリングを調整するシステムのブロック図である。
【図１２】様々な観点に従って通信スケジュールに基づく無線通信環境でのトラフィックデータの通信を調整するシステムのブロック図である。
【図１３】様々な観点に従って無線通信システムでのトラフィックチャネルをスケジュールする装置のブロック図である。
【図１４】様々な観点に従って無線通信システムでスケジュールされたトラフィックチャネル上で通信する装置のブロック図である。
【図１５】無線通信システムで採用し得るスーパーフレームプリアンブルの例を示す図である。
【図１６】多元接続無線通信システムのためのフレーム構造の例を示す図である。
【図１７Ａ】多元接続無線通信システムのための順方向リンクフレーム構造の例を示す図である。
【図１７Ｂ】多元接続無線通信システムのための逆方向リンクフレーム構造の例を示す図である。
【発明を実施するための最良の形態】
【００１８】
次に図面を参照して様々な実施形態を説明する。同様の参照番号は全体にわたって同様のエレメントを指すために使用される。以下の記載では、説明の目的で、１以上の観点の十分な理解を得るために多数の特定の詳細が明らかにされる。しかし、こうした（１以上の）実施形態がこれら特定の詳細なしに実施され得ることは明らかであろう。他の事例では、よく知られた構造および装置が１以上の実施形態の説明を容易にするためにブロック図の形式で示される。
【００１９】
本願で使用されるように、用語「コンポーネント」、「モジュール」、「システム」などは、ハードウェア、ファームウェア、ハードウェアとソフトウェアとの組合せ、ソフトウェア、または実行中のソフトウェアのいずれかのコンピュータ関連の実在物を指すことを意図している。例えば、コンポーネントは、プロセッサ上で実行しているプロセス、プロセッサ、オブジェクト、エクセキュータブル（executable）、一連の実行、プログラム、および／またはコンピュータであってよい、それらであると限定されない。実例として、コンピューティング装置上で実行しているアプリケーションおよびコンピューティング装置は両方ともコンポーネントであり得る。１以上のコンポーネントは、プロセスおよび／もしくは一連の実行内に駐在してよく、コンポーネントは１つのコンピュータ上にローカライズされてよくかつ／または２つ以上のコンピュータの間に分散されてもよい。加えて、これらのコンポーネントは、様々なデータ構造を記憶した様々なコンピュータ可読媒体から実行し得る。コンポーネントは、局所的プロセスによりおよび／または１以上のデータパケット（例えば、局所システム内、分散されたシステムで他のコンポーネントと、および／もしくはインターネットなどのネットワークの全域で信号により他のシステムと相互作用している１つのコンポーネントからのデータ）を有する信号に従ってなど、遠隔プロセスにより通信できる。
【００２０】
さらに、無線端末および／または基地局に関して、様々な実施形態がここに記載される。無線端末は、ユーザに音声および／またはデータの接続性を提供する装置を指す場合がある。無線端末は、ラップトップコンピュータもしくはデスクトップコンピュータなどのコンピューティング装置に接続されたり、携帯情報端末（ＰＤＡ）などの内蔵型装置であったりしてよい。無線端末はまた、システム、加入者装置、加入者局、移動局、移動体、遠隔局、アクセスポイント、遠隔端末、アクセス端末、ユーザ端末、ユーザエージェント、ユーザ装置、またはユーザ設備と呼ばれる場合もある。無線端末は、加入者局、無線装置、移動通信電話、ＰＣＳ電話、コードレス電話、セッション開始プロトコル（ＳＩＰ）電話、無線ローカルループ（ＷＬＬ）局、携帯情報端末（ＰＤＡ）、無線接続能力を有するハンドヘルド装置、または無線モデムに接続された他の処理装置であってよい。基地局（例えば、アクセスポイント）は、１以上のセクタを介して、エアインターフェース（air interface）上で無線端末と通信するアクセスネットワーク内の装置を指す場合がある。基地局は、受信されたエアインターフェースフレームをＩＰパケットに変換することによって、無線端末とインターネットプロトコル（ＩＰ）ネットワークを含み得る残りのアクセスネットワークの間のルータとしての機能を果たしてよい。基地局はまた、エアインターフェースに関する属性の管理をも調整する。
【００２１】
さらに、ここに記載される様々な観点または特徴は、標準のプログラミング技術および／またはエンジニアリング技術を使用して、方法、装置、もしくは製品として実施されてよい。ここで使用される用語「製品」は、任意のコンピュータ可読装置、キャリア、または媒体からアクセス可能なコンピュータプログラムを包括することを意図する。例えばコンピュータ可読媒体は、磁気記憶装置（例えば、ハードディスク、フロッピー（登録商標）ディスク、磁気ストリップ・・・）、光ディスク（例えば、コンパクトディスク（ＣＤ）、デジタル多目的ディスク（ＤＶＤ）・・・）、スマートカード、およびフラッシュメモリ装置（例えば、カード、スティック、キードライブ・・・）を含んでよいが、これらに限定されない。
【００２２】
様々な実施形態は、いくつかの装置、コンポーネント、モジュールなどを含み得るシステムの点から提示されることになる。様々なシステムは追加の装置、コンポーネント、モジュールなどを含んでよく、かつ／または図に関して議論される装置、コンポーネント、モジュールなどの全てを含まなくてもよい点を理解および認識されたい。これらの手法の組合せも使用され得る。
【００２３】
次に図を参照すると、図１は様々な観点に従った無線多元接続通信システム１００の例である。一例において、無線多元接続通信システム１００は、複数の基地局１１０と複数の端末１２０とを含む。システム１００内の各基地局１１０および各端末１２０は、システム１００内の１以上の基地局１１０および／または１以上の端末１２０との通信を容易にするために１以上のアンテナを有してよい。一例において、基地局１１０はブロードキャストサービス、マルチキャストサービス、および／またはユニキャストサービスに関する複数のデータストリームを同時に送信できる。ここで、データストリームは端末１２０について独立に受信したものであり得るデータの流れである。基地局１１０のカバレッジ範囲内の端末１２０は、次に、基地局１１０から送信された１以上のデータストリームを受信できる。非限定的な例として、基地局１１０は、アクセスポイント、ノードＢ、および／または他の適切なネットワーク実在物であってよい。各基地局１１０は、特定の地理的領域１０２に通信カバレッジ範囲を提供する。この明細書および当該技術分野で一般に使用されるように、用語「セル」は、その用語の使用状況に依存して基地局１１０および／またはそのカバレッジ範囲１０２を指す場合がある。システム能力を改善するために、基地局１１０に対応するカバレッジ範囲１０２は、複数のより小さな領域（例えば、領域１０４ａ、１０４ｂ、１０４ｃ）に区画されてよい。より小さな領域１０４ａ、１０４ｂ、１０４ｃの各々は、それぞれの基地トランシーバサブシステム（ＢＴＳ、図示せず）によってサービス提供され得る。本明細書および当該技術分野で一般に使用されるように、用語「セクタ」は、その用語の使用状況に依存してＢＴＳおよび／またはそのカバレッジ範囲を指す場合がある。複数のセクタ１０４を有するセル１０２内で、セル１０２の全てのセクタ１０４のためのＢＴＳは、そのセル１０２のための基地局１１０内の同じ場所に配置されることが可能である。
【００２４】
他の例において、システム１００は、１以上の基地局１１０に結合可能であって基地局１１０に調整と制御とを提供するシステムコントローラ１３０を採用することにより中央集中型アーキテクチャ（centralized architecture）を利用できる。代替の観点によれば、システムコントローラ１３０は、単一のネットワーク実在物またはネットワーク実在物のコレクションであってよい。加えて、システム１００は、基地局１１０が必要に応じて相互通信することを許可するために分散アーキテクチャを利用してよい。
【００２５】
一観点によれば、端末１２０はシステム１００全体にわたって分散されてよい。各端末１２０は静止的であっても、移動可能であってもよい。非限定的な例として、端末１２０はアクセス端末（ＡＴ）、移動局、ユーザ設備、加入者局、および／または他の適切なネットワーク実在物であってよい。端末は、無線装置、移動通信電話、携帯情報端末（ＰＤＡ）、無線モデム、ハンドヘルド装置などであってよい。一例において、端末１２０は基地局１１０または他の端末１２０にデータを送信できる。
【００２６】
他の一観点によれば、システム１００は、伝送リソースをチャネルの形式で生成できる。非限定的な例として、これらのチャネルは、符号分割多重化（ＣＤＭ）、周波数分割多重化（ＦＤＭ）、時分割多重化（ＴＤＭ）のうちの１以上で生成されることができる。ＦＤＭの変形である直交周波数分割多重化（ＯＦＤＭ）は、データで変調可能な複数の直交副搬送波にシステム１００の帯域幅全体を効率的に区画するために使用され得る。これら副搬送波は、トーン、ビン、および周波数チャネルと呼ばれる場合もある。これに代わり、時分割ベース技術では、各副搬送波が連続したタイムスライスまたはタイムスロットの一部を含むことができる。各端末１２０には、定義したバースト期間またはフレームにおいて情報を送受信するために１以上のタイムスロット／副搬送波の組合せが提供され得る。また、時分割技術はシンボルレートホッピング方式（symbol rate hopping scheme）および／またはブロックホッピング方式を利用し得る。
【００２７】
他の例では、符号分割ベース技術がレンジ内でいつでも利用可能な多数の周波数上でのデータの伝送を容易にできる。データはデジタル化されてシステム１００の利用可能帯域幅上に拡散されてよく、複数の端末１２０がチャネル上にオーバーレイされ、それぞれユニークシーケンスコードを割り当てられるようにする。続いて、端末１２０は同一広帯域内でかなりの量のスペクトルを送信でき、各端末１２０に対応する信号が該当のユニーク拡散コードにより帯域幅全体に拡散する。一例において、この技術は１以上の端末１２０が同時に送受信可能なシェアリング(sharing)を提供できる。こうしたシェアリングは、例えばスペクトル拡散デジタル変調を介して達成でき、端末１２０に対応するビットストリームが符号化されて、擬似ランダムな形で非常に幅広いチャネル全域に拡散する。基地局１１０は、次に、端末１２０に関連したユニークシーケンスコードを認識して、コヒーレントな方式で特定の端末１２０に関するビットを収集するためにランダム化を取り消すことができる。
【００２８】
他の例において、システム１００はＣＤＭＡ、ＴＤＭＡ、ＦＤＭＡ、ＯＦＤＭＡ、単一キャリアＦＤＭＡ（ＳＣ−ＦＤＭＡ）、および／または他の適切な多元接続方式のような１以上の多元接続方式を利用してよい。ＯＦＤＭＡは、直交周波数分割多重化（ＯＦＤＭ）を利用し、ＳＣ−ＦＤＭＡは単一キャリア周波数分割多重化（ＳＣ−ＦＤＭ）を利用する。加えて、システム１００はＯＦＤＭＡおよびＣＤＭＡのような多元接続方式の組合せを利用してよい。加えて、システム１００は、データおよびシグナリングが順方向リンク上および逆方向リンク上で送信される方式を指示するために様々なフレーミング構造を利用してよい。システム１００は帯域幅および他のシステムリソースを割り当てるために１以上のスケジューラ（図示せず）をさらに利用してよい。一例において、スケジューラは基地局１１０、端末１２０、およびシステムコントローラ１３０のうちの１以上で用いられてよい。
【００２９】
図２Ａは、無線通信環境での効率的な通信を容易にするシステム２００のブロック図である。一例において、システム２００は１以上の基地局２１０および１以上の移動体端末２２０を含む。簡素化のために１つの基地局２１０および１つの移動体端末２２０だけが図２Ａで示されるが、システム２００は任意の数の基地局２１０と任意の数の移動体端末２２０とを含んでよいことを理解されたい。一観点によれば、基地局２１０および移動体端末２２０は、基地局２１０でアンテナ２１２を経由し、移動体端末２２０でアンテナ２２２を経由して通信できる。これに代わって、基地局２１０および／または移動体端末２２０は、システム２００内の複数の基地局２１０および／または複数の移動局２２０と通信するために複数のアンテナ２１２および／または２２２を有してよい。
【００３０】
一実施形態によれば、基地局２１０および移動局２２０は、図２Ａに示されるように順方向リンク（「ダウンリンク」）上で通信できる。一例において、基地局２１０は、１以上の物理層フレーム（ＰＨＹフレーム、または単に「フレーム」）上の移動体端末２２０との通信に使用されることになる１以上のチャネルにシステムリソースを割り当てるチャネルスケジューリングコンポーネント２１２を含む。チャネルスケジューリングコンポーネント２１２は基地局２１０のコンポーネントとして示されるが、チャネルスケジューリングコンポーネント２１２は、代わりに、移動体端末２２０のコンポーネント、基地局２１０および移動体端末２２０と通信中の中央集中型システムコントローラ（図示せず）のコンポーネント、または基地局２１０および移動体端末２２０に通信可能に接続された独立型コンポーネントであることができる。
【００３１】
一例において、チャネルスケジューリングコンポーネント２１２は、逆方向リンク（「アップリンク」）内のフレーム上の移動体端末２２０との通信のためのトラフィックチャネルにシステムリソースを割り当てることができ、この逆方向リンクを通じて、移動体端末２２０がデータ、制御シグナリング（例えば、パイロット、チャネル品質情報、要求、および／もしくは他の適切なチャネル情報）、または任意の他の適切な情報、またはそれらの組合せを伝送できる。加えて、トラフィックチャネル内のリソースの一部は、逆方向リンク内のフレーム上の移動体端末２２０と通信するために肯定応答（ＡＣＫ）チャネルのチャネルスケジューリングコンポーネント２１２に対して利用可能であってよい。ＡＣＫチャネル上で、移動体端末２２０は、基地局２１０から正しく受信されたデータおよび／またはシグナリングに対応して肯定応答を基地局２１０に伝送できる。加えてかつ／またはその代わりに、移動体端末２２０は、間違って受信されたデータに対応する否定応答（ＮＡＣＫ）を伝送できる。移動体端末２２０によって伝送されたＮＡＣＫはＡＣＫチャネル上で明示的に伝送されたり、これに代わってＮＡＣＫはＡＣＫが予期される場合に特定のデータおよび／もしくは特定のシグナリングに関する肯定ＡＣＫを通信することを差し控えることによって暗黙的に伝送されたりしてよい。一観点によれば、ＡＣＫチャネルのためのリソースは、トラフィックチャネル内の利用可能リソースの一部だけがＡＣＫチャネルに使用されるようにトラフィックチャネルを用いる共通の逆方向リンクフレームでチャネルスケジューリングコンポーネント２１２によってスケジュールされることができる。これにより、チャネルスケジューリングコンポーネント２１２は、単一の伝送構造で肯定応答およびトラフィックデータの効率的な通信を容易にできる。
【００３２】
チャネルスケジューリングコンポーネント２１２がリソースを移動体端末２２０との通信のための１以上のチャネルに割り当てると、チャネルスケジューリングコンポーネント２１２は、特定された逆方向リンクフレーム上の割当てトラフィックチャネルに移動体端末２２０を割り当てるチャネル割当てを生成できる。さらに、チャネルスケジューリングコンポーネント２１２は、移動体端末２２０に割り当てられた他のリソースに基づいて明示的または暗黙的に割り当てられたＡＣＫチャネルに移動体端末２２０を割り当てることができる。このチャネル割当ては、次に、アンテナ２１８を経由して基地局２１０で送信機２１４によって順方向リンク上の移動体端末２２０に送信することができる。送信されると、チャネル割当ては、アンテナ２２８を経由して移動体端末２２０の受信機２２２で受信されることができる。
【００３３】
図２Ｂは、システム２００内の逆方向リンク伝送の例を示すブロック図である。一観点によれば、移動体端末２２０は、データに関する（１以上の）肯定応答および／もしくは（１以上の）否定応答などのシグナリング、および／または順方向リンク上で基地局２１０から受信されたシグナリング並びに／あるいは他のシグナリングを生成できるシグナリングジェネレータ２２４を含む。加えて、移動体端末２２０は、基地局２１０に伝送されることになるデータを包含できるデータ源２２５を含む。一例において、シグナリングジェネレータ２２４によって生成されたシグナリングおよびデータ源２２５に包含されたデータは、アンテナ２２８を経由する基地局２１０への通信のための送信機２２６に提供され得る。移動体端末２２０によって伝送された情報は、次に、アンテナ２１８を経由して基地局２１０の受信機２１６で受信できる。
【００３４】
一観点によれば、移動体端末２２０で送信機２２６は、基地局２１０によって移動体端末２２０に割り当てられた１以上のチャネル上でデータおよび／またはシグナリングを基地局２１０に送信できる。この割当ては、例えば、図２Ａによって示された伝送に類似した順方向リンク伝送の間に行うことができる。図２Ａによってさらに示された他の例として、基地局２１０から受信されたチャネル割当ては、トラフィックチャネルのための割当て並びにＡＣＫチャネルのための暗黙的または明示的な割当てを含むことができる。一観点によれば、トラフィックチャネルおよびＡＣＫチャネルは、ＡＣＫチャネルがＡＣＫチャネルのために利用可能トラフィックチャネル内の帯域幅の一部だけを占有するように割り当てられることができる。これにより、送信機２２６は、共通の逆方向リンク伝送の際にＡＣＫ／ＮＡＣＫおよびトラフィックデータの両方を効率的に伝送できる。
【００３５】
図３Ａは、無線通信システム（例えば、システム１００）で採用できるデータタイル構造３１０の例を示す。一観点によれば、データタイル３１０は無線通信システム内の帯域幅の一部に対応し得る。さらに、データタイル３１０で表される帯域幅は、例えば、１以上のトラフィックチャネルに対応してよい。他の観点によれば、データタイル３１０は、その上で、ＯＦＤＭシンボルなど、適時のＮ個の変調シンボルが変調され得るＭ個の周波数副搬送波（すなわち「トーン」）で構成できる。従って、データタイル３１０は、Ｍ×Ｎ個の変調シンボルに対応するシステム帯域幅を表すことができる。図３Ａによって示された非限定的な例において、データタイル３１０は、１６個のトーン上で変調された８個のＯＦＤＭシンボルに対応する１６×８個のシンボルを含む。データタイル３１０内のシンボルの各々は、データタイル３１０内の明るい方のユニットとして表記されるトラフィックデータ、またはデータタイル３１０内の暗い方のユニットとして表記されるパイロットに対応し得る。非限定的な例として、パイロットは、例えば、チャネル推定、チャネル獲得、および／または他の適切な用途で使用できる。データタイル３１０によって示された例において、パイロットシンボルは１以上のトーンで所定のＯＦＤＭシンボルで提供され得る。パイロットシンボルは、データタイル３１０によって示されるように各ＯＦＤＭシンボルについて同じトーン上で提供されることができ、またこれに代わって、パイロットシンボルは各ＯＦＤＭシンボルについて異なるトーン上で提供されることができる。
【００３６】
図３Ｂは、無線通信システムで用いられ得る代替のデータタイル構造３２０の例を示す。データタイル３１０と類似して、データタイル３２０は、周波数搬送波上で変調された適時のＯＦＤＭシンボルからなるシステム帯域幅を表すことができる。しかし、データタイル３１０について示す例と異なり、データタイル３２０の例内の各ＯＦＤＭシンボルは８個のトーン上だけで変調される。データタイル構造３２０で提供されるより少量のトーンは、例えば、より少ない周波数副搬送波が利用可能な制限周波数動作範囲を有する無線通信システムで利用されてよい。特定の非限定的な例として、データタイル３１０は５ＭＨｚの展開(deployment)帯域幅を有するシステムで利用されてよく、一方、データタイル３２０は１．２５ＭＨｚまたは２．５ＭＨｚの展開帯域幅を有するシステムで利用されてよい。データタイル３２０は、例えば、より小さな帯域幅内でより多くのトラフィックチャネルの割当てを可能にするために、および／またはより小さな帯域幅配置に関連するダイバーシティの損失の影響を弱めるために低帯域幅展開で利用されてよい。データタイル３１０に類似して、データタイル３２０内のシンボルは、トラフィックデータまたはパイロットに対応し得る。さらに、代替例において、パイロットシンボルは均一のトーンまたは不均一のトーンで所定のＯＦＤＭシンボルで提供され得る。
【００３７】
図４は、無線通信システムで用いられ得る他のデータタイル構造４００の例を示す。一例において、データタイル４００は、データタイル３１０と類似の方法で、１６個のトーン上で変調された８個のＯＦＭＤシンボルからなる帯域幅を表す。しかし、データタイル４００によって表される例において、データタイル４００の初めの８個のトーン上で変調されたシンボルはトラフィックデータ専用および／またはパイロット専用であり、一方、データタイル４００の下位８個のトーン上のシンボルは肯定応答チャネル（ＡＣＫＣＨ）に利用可能にされるサブタイル４０２にグループ化される。
【００３８】
一例において、データタイル４００内の各サブタイル４０２は、８個のトーン上で変調された２個のＯＦＤＭシンボルの領域をカバーする。さらなる例において、ＡＣＫＣＨに利用可能にされたサブタイル４０２のセットは、所定数のデータタイル４００の下半分で８×８個のシンボル領域を占有してよい。従って、ＡＣＫＣＨサブタイル４０２は、所定数のデータタイル４００の下位８個の周波数副搬送波を占有してよい。データタイル４００内のＡＣＫサブタイル４０２に利用可能にされた８×８個のシンボル領域は、半タイルまたはＡＣＫＣＨタイルと呼ばれる場合もある。一例において、無線通信システム内のＡＣＫＣＨタイルの数は、無線通信システム内のトラフィックチャネルの数によって要求されるように基準化できる。加えて、システム内のチャネルおよび干渉ダイバーシティを確実にするために、最低４個のＡＣＫＣＨタイルが要求される場合がある。他の例において、各サブタイル４０２は、８個の異なるトラフィックチャネルに対応できる８個のＡＣＫＣＨビットを収容できる。各ＡＣＫＣＨビットは、異なるデータタイル４００から取られたサブタイル４０２上で送信されることでき、それにより、４次ダイバーシティ（fourth-order diversity）を確実にする。さらなる例において、サブタイル４０２は、ＡＣＫＣＨがシステム内の全てのトラフィックチャネルを均一にパンクチャすることを確実にするために、無線通信でデータタイル４００の間を無作為にホップできる。
【００３９】
図５は、無線通信システム内の肯定応答チャネル性能６００の例を示す。一例において、図５のブロック５１２〜５３８は、その内にＡＣＫＣＨビットを記憶したサブタイル（例えば、サブタイル４０２）を表す。さらに、行５１２〜５１８、５２２〜５２８、および５３２〜５３８の各々は、データタイル内のサブタイル（例えば、データタイル４００）に対応する。他の例において、ＡＣＫＣＨビットは、暗くされたブロック５１４、５２８、および５３２によって表される、異なるデータタイルに取って代わるサブタイル上で送信され得る。異なるサブタイルおよびデータタイル上でＡＣＫＣＨビットを送信することによって、４次ダイバーシティは肯定応答チャネルについて達成できる。
【００４０】
次に図６Ａを参照すると、様々な観点に従って効率的な無線ネットワーク伝送を容易にするデータタイル構造６１０の例が示される。一例において、データタイル６１０は、データタイル３１０に類似した方法で１６個のトーン上で変調された適時の８個のＯＦＤＭシンボルからなる。さらに、データタイル６１０内のシンボルの各々は、データタイル６１０内に明るい方のユニットとして表されるトラフィックデータ、またはデータタイル６１０内に暗い方のユニットとして表されるパイロットに対応できる。他の例において、データタイル６１０は、トラフィックチャネルに割り当てられた帯域幅の全てまたは一部を表してよい。
【００４１】
一観点によれば、データタイル６１０の下位８個のトーン上で変調されたシンボルは、データタイル４００に類似した方法でＡＣＫチャネルに利用可能にされてよい。しかし、小さな帯域幅展開を有する無線システムでは、データタイル６１０内の利用可能シンボル全ての全域でＡＣＫチャネルの割当てを必要とするのに十分なトラフィックチャネルが存在しない可能性がある。従って、ＡＣＫチャネルのためのリソースは、データタイル６１０内の利用可能リソースの一部だけがＡＣＫチャネルのために利用されるように、第１サブタイル６０２１上および／または第２サブタイル６０２２上で割り当てられてよい。特定の非限定的な例として、１つのサブタイル６０２は１．２５ＭＨｚ展開に利用されてよく、２つのサブタイル６０２は２．５Ｍｚ展開のために利用されてよい。一例において、各サブタイル６０２は、サブタイル４０２と類似した方法で８個のトーン上で変調された２個のＯＦＤＭシンボルの領域をカバーする。さらに、サブタイル６０２は、肯定応答チャネルに関する４次ダイバーシティを容易にするために、複数のデータタイル全域で各ＡＣＫＣＨビットに関して閲覧可能なように、複数のデータタイル６１０上で提供されてよい。サブタイル６０２は、肯定応答チャネルがシステム内の全てのトラフィックチャネルを均一にパンクチャすることを確実にするために、データタイル６１０間を無作為にホップすることも可能である。
【００４２】
しかし、一観点によれば、サブタイル６０２はデータタイル６１０内でＯＦＤＭシンボルによって提供された帯域幅の一部だけに割り当てられる。データタイル６１０によって示されるように、サブタイル６０２がスケジュールされないＯＦＤＭシンボルは、１以上のトラフィックチャネル上で引き続きトラフィックデータおよび／またはパイロットを運ぶことが可能である。従って、無線通信システム内の各データタイル６１０内の帯域幅のより大きな部分がトラフィックデータのために使用されてよく、それにより、システムでの効率的な伝送を容易にする。さらに、データタイル例６１０内のパイロットシンボルの各セットは３個のＯＦＤＭシンボルにわたるため、パイロットシンボルの各セットの一部だけがパンクチャされ得る。従って、一例において、チャネル推定および／またはチャネル獲得など、パイロットを利用する無線通信システム内の動作はパイロットシンボルのパンクチャが発生していないかのように実質的に実行されてよい。
【００４３】
図６Ｂは、様々な観点に従う効率的な無線ネットワーク伝送を容易にする代替データタイル構造６２０の例を示す。一例において、データタイル６２０によって表される帯域幅は８個のトーン上で変調される８個のＯＦＤＭシンボルで構成してよい。データタイル構造３２０に類似して、データタイル構造６２０は、例えば、より少ないトーンが利用可能である制限された範囲の周波数動作を伴う無線通信システムで利用されてよい。一観点によれば、肯定応答チャネルに対応する１以上のサブタイル６０２は、それらのサブタイル６０２がデータタイル６２０によって表される帯域幅の一部をパンクチャするように割り当てられてよい。
【００４４】
データタイル６２０の例は８個のトーンに対応する帯域幅だけを表すため、係るタイルはデータタイル６２０内に提供されるトラフィック帯域幅の全てを必ずパンクチャすることになるという理由で、図４に示されるように、ＡＣＫチャネルに対して８×８個のタイルを利用可能にすることは非現実的である。データタイル６２０内のＯＦＤＭシンボルの一部だけに対してＡＣＫＣＨサブタイル６０２をスケジュールすることによって、データタイル６２０は、データタイル６１０と比較してそのより小さなサイズにもかかわらず、トラフィックデータ並びに肯定応答チャネルに関するデータを運ぶことができる。さらなる例において、データタイル６２０内のパイロットシンボルの各セットは、データタイル６１０に類似した方式で３個のＯＦＤＭシンボルに広がることができる。従って、パイロットシンボルの各セットの一部だけがＡＣＫＣＨサブタイル６０２によってパンクチャされ、チャネル推定およびチャネル獲得など、パイロットを利用する無線通信システム内の動作は、パイロットシンボルのパンクチャが発生していないかのように実質的に実行され得る。
【００４５】
図７Ａは、周波数分割多重化（ＦＤＤ）を利用した多元接続無線通信システム（例えば、システム１００）のためのスーパーフレーム構造７０２の例を示す。一例では、スーパーフレームプリアンブル７１２が各スーパーフレーム７１０の最初に送信される。代わって、スーパーフレームプリアンブル７１２が、プリアンブルおよびミッドアンブルとして、スーパーフレーム７１０内に散在してよい。スーパーフレーム７１０は順方向リンク（ＦＬ）スーパーフレームとして示されるが、スーパーフレーム７１０は代わって逆方向リンクスーパーフレームであってよいことを理解されたい。
【００４６】
一例において、各スーパーフレーム７１０は、スーパーフレームプリアンブル７１２およびその後に続く一連のフレーム７１４から構成できる。１以上のスーパーフレーム７１０内のフレーム７１４は、１以上のフレームインタレースにさらに分割されてよい。一観点によれば、各スーパーフレーム７１０は１以上の周波数キャリアおよび／または副帯域に分割されてもよく、システムの展開された帯域幅の全てまたは一部に広がることも可能である。特定の非限定的な例において、システム帯域幅は５ＭＨｚ周波数帯域に対応してよく、各々サイズにおいて１２８個のトーンである副帯域に分割され得る。代替の非限定的な例において、２．５ＭＨｚまたは１．２５ＭＨｚのようなより小さな展開帯域幅の場合、各副帯域はサイズにおいて６４個のトーンだけであり得る。より小さな副帯域はより小さなシステム帯域幅に関して利用されてよく、例えばシステム内の制御オーバヘッドを低減して、十分なＡＣＫチャネルタイルが各インタレースについてスケジュールされるようにしてよい。ＦＤＤ構造７０２では、順方向リンク上および逆方向リンク上の伝送が任意に与えられた周波数副搬送波上で実質的に重複しないように、逆方向リンク伝送および順方向リンク伝送は異なる周波数を占有できる。他の例において、スーパーフレームプリアンブル７１２は、アクセス端末によるチャネル推定のために使用できるパイロットを含み得るパイロットチャネルを含んでよい。さらに、スーパーフレームプリンアンブル７１２は、アクセス端末（例えば、端末１２０）が順方向リンク７１４内に含まれた情報を復調するために利用することが可能な構成情報を含むブロードキャストチャネルを含むことができる。加えてかつ／またはその代わりに、スーパーフレームプリアンブル７１２は、タイミング情報およびアクセス端末が電力制御情報を伝送するために十分な他の情報などの獲得情報、並びに／またはオフセット情報を含んでよい。従って、スーパーフレームプリアンブル７１２は、共通パイロットチャネル、システム情報および構成情報を含むブロードキャストチャネル、タイミング情報並びに他の情報を獲得するために使用される獲得パイロットチャネル、他のセクタに関するセクタからのその測定された干渉の指示を含むセクタ干渉チャネルのうちの１以上を含んでよい。一例において、これらのチャネルは１以上のインタレース上でＣＤＭＡ制御セグメントを経由して提供できる。
【００４７】
他の例において、１以上のチャネルからの情報は、スーパーフレームプリアンブル７１２内のオーバヘッドを低減するために、単一の共同で符号化されたパケット内に含まれてよい。例えば、異なるスーパーフレームプリアンブルチャネルに関する隣接するシンボルからの情報は共同で符号化されてよい。さらなる例において、スーパーフレームプリアンブル７１２内のチャネルに関するメッセージは、異なるスーパーフレーム７１０の複数のスーパーフレームプリンアンブル７１２にわたる可能性がある。これは、例えば、より大きなリソースを高い優先順位のメッセージに割り当てることによって復号能力を改善するために利用できる。
【００４８】
一観点によれば、スーパーフレームプリアンブル７１２には、その後に一続きのフレーム７１４が続いてよい。各フレーム７１４は、均一または不均一の数のＯＦＤＭシンボルと、伝送のために同時に利用され得る均一または不均一の数の副搬送波とから構成できる。一例において、各フレーム７１４はシンボルレートホッピングモード７２２に従って動作でき、１以上の非連続ＯＦＤＭシンボルが順方向リンク上または逆方向リンク上で端末に割り当てられる。代わって、各フレーム７１４はブロックホッピングモード７２０に従って動作でき、端末はＯＦＤＭシンボルのブロック内でホップできる。ブロックホッピングモード７２０およびシンボルレートホッピングモード７２２の両方で、ブロックまたはＯＦＤＭシンボルはフレーム７１４の間でホップしてもよく、またはホップしなくてもよい。
【００４９】
他の観点によれば、スーパーフレーム７１０は、スーパーフレームプリアンブル７１２を利用しなくてもよい。１つの代替において、プリアンブルは、スーパーフレームプリアンブル７１２に対する均等情報を含む１以上のフレーム７１４に提供されてよい。他の代替において、ブロードキャスト制御チャネルは、スーパーフレームプリアンブル７１２の情報のいくつかまたは全てを含むために利用されてよい。他の情報は、フレーム７１４のプリアンブル内または制御チャネル内にさらに含まれてよい。
【００５０】
図７Ｂは、時分割多重化（ＴＤＤ）を利用する多元接続無線通信システム（例えば、システム１００）のためのスーパーフレーム構造７０４の例を示す。一例において、スーパーフレームプリアンブル７１２は各スーパーフレーム７１０の最初に送信される。代わって、スーパーフレームプリアンブル７１２は、プリアンブルおよびミッドアンブルとして、スーパーフレーム７１０内で散在してよい。スーパーフレーム７１０は順方向リンク（ＦＬ）のスーパーフレームとして示されるが、スーパーフレーム７１０は、代わって逆方向リンクスーパーフレームであってよいことを理解されたい。
【００５１】
一例において、各スーパーフレーム７１０は、スーパーフレームプリアンブル７１２およびその後に続く一連のフレーム７１４から構成できる。ＴＤＤ構造７０４において、順方向リンクフレーム７１４および逆方向リンクフレーム７１６は、所定数の逆方向リンクフレーム７１６の伝送を許可するのに先立って、所定数の順方向リンクフレーム７１４が連続的に送信されるように適時に分割されてよい。スーパーフレーム構造７０４で示されるように、順方向リンクスーパーフレーム７１０は、１以上の逆方向リンクフレーム７１６の伝送の間、沈黙の時間を経験することになる。同様に、逆方向リンクスーパーフレームは、順方向リンクのスーパーフレーム７１４の伝送の間、沈黙の時間を経験することになることを理解されたい。さらに、任意の数の順方向リンクフレーム７１４および任意の数の逆方向リンクフレーム７１６は、スーパーフレーム構造７０４内で連続的に送信されてよく、フレームの前記数は与えられたスーパーフレーム内でまたはスーパーフレーム間で異なってよいことに留意されたい。
【００５２】
他の例において、スーパーフレームプリアンブル７１２は、アクセス端末によるチャネル推定のために使用されるパイロットを含み得るパイロットチャネルを含むことができる。さらに、スーパーフレームプリアンブル７１２は、アクセス端末（例えば、端末１２０）が順方向リンクフレーム７１４内に含まれた情報を復調するために利用される構成情報を含み得るブロードキャストチャネルを含むことができる。加えてかつ／またはその代わりに、スーパーフレームプリアンブル７１２は、タイミング情報およびアクセス端末が電力制御情報および／もしくはオフセット情報を通信するために十分な他の情報のような獲得情報を含んでよい。従って、スーパーフレームプリアンブル７１２は、共通パイロットチャネル、システム情報および構成情報を含むブロードキャストチャネル、タイミング情報および他の情報を獲得するために使用される獲得パイロットチャネル、他のセクタに関するセクタからのその測定された干渉の表示を含むセクタ干渉チャネルのうちの１以上を含んでよい。
【００５３】
他の例において、１以上のチャネルからの情報は、スーパーフレームプリアンブル７１２内のオーバヘッドを低減するために、単一の共同で符号化されたパケット内に含まれてよい。例えば、異なるスーパーフレームプリアンブルチャネルに関する隣接するシンボルからの情報は共同で符号化されてよい。さらなる例において、スーパーフレームプリアンブル７１２内のチャネルに関するメッセージは、異なるスーパーフレーム７１０の複数のスーパーフレームプリンアンブル７１２にわたる可能性がある。これは、例えば、より大きなリソースを高い優先順位のメッセージに割り当てることによって復号能力を改善するために利用され得る。
【００５４】
一観点によれば、スーパーフレームプリアンブル７１２には、その後に一続きのフレーム７１４が続いてよい。各フレーム７１４は、均一または不均一の数のＯＦＤＭシンボルと、伝送のために同時に利用され得る均一または不均一の数の副搬送波とから構成できる。一例において、各フレーム７１４はシンボルレートホッピングモード７２２に従って動作でき、１以上の非連続ＯＦＤＭシンボルは順方向リンク上または逆方向リンク上で端末に割り当てられる。代わって、各フレーム７１４はブロックホッピングモード７２０に従って動作でき、この端末はＯＦＤＭシンボルのブロック内でホップすることができる。ブロックホッピングモード７２０およびシンボルレートホッピングモード７２２の両方で、ブロックまたはＯＦＤＭシンボルはフレーム７１４間でホップしてもよく、またはホップしなくてもよい。
【００５５】
他の観点によれば、スーパーフレーム７１０は、スーパーフレームプリアンブル７１２を利用しなくてもよい。１つの代替では、プリアンブルは、スーパーフレームプリアンブル７１２に対する均等情報を含む１以上のフレーム７１４に提供されてよい。他の代替では、ブロードキャスト制御チャネルは、スーパーフレームプリアンブル７１２の情報のいくつかまたは全てを含むために利用されてよい。他の情報は、フレーム７１４のプリアンブル内または制御チャネル内にさらに含まれることが可能である。
【００５６】
図８〜９を参照すると、無線通信ネットワークで制御チャネルをスケジュールする方法が示される。説明の簡素化の目的で、この方法は一連の動作として示され、説明されるものの、１以上の実施形態によれば、いくつかの動作は本明細書で示され、説明される動作とは異なる順序で発生するためおよび／または本明細書で示され、説明される動作とは異なる動作と同時に発生するため、この方法は動作の順序によって限定されない点を理解および認識されたい。例えば、当業者は、この方法は代わって、状態図の形でなど、一連の相互に関連する状態または事象として表現され得る点を理解および認識されよう。さらに、１以上の実施形態によれば、この方法を実施するために全ての示された動作が要求されなくてよい。
【００５７】
図８を参照すると、示されるのは、無線通信システム（例えば、システム２００）でトラフィックチャネルをスケジュールするための方法８００である。方法８００は、トラフィックチャネルのためのリソースが逆方向リンクフレーム上で端末（例えば、移動体端末２２０）との通信のために割り当てられるブロック８０２から始まる。割り当てられたシステム帯域幅は、例えば、１以上のデータタイル３１０および／または３２０に対応し得る。一例において、トラフィックチャネルに割り当てられたリソースは、肯定応答チャネルのために利用可能リソースも含んでよい。
【００５８】
次に、方法８００は、ブロック８０２で肯定応答のために利用可能にされた、トラフィックチャネル内のリソースの一部が肯定応答チャネルに割り当てられるブロック８０４に進む。一観点によれば、肯定応答チャネルは、肯定応答チャネルに割り当てられたシステム帯域幅が、ブロック８０２でトラフィックチャネルに割り当てられた帯域幅を備える変調シンボルの一部をパンクチャするようにスケジュールされてよい。一例において、トラフィックチャネルおよび肯定応答チャネルに割り当てられたシステム帯域幅は、１以上のデータタイル６１０および／または６２０に対応し得る。ブロック８０２で、システム帯域幅は、ＯＦＤＭシンボル並びに／あるいはデータタイル６１０および／もしくは６２０を備えるトーンの全てまたは一部の上でトラフィックチャネルに割り当てられることが可能である。システム帯域幅は、次に、トーンの一部の上で変調された、データタイル６１０および／または６２０内のＯＦＤＭシンボルの一部によって表現されるシステム帯域幅が肯定応答チャネルによってパンクチャされるように、データタイル６１０および／または６２０内の１以上のサブタイル６０２を再度割り当てることによって、ブロック８０４で肯定応答チャネルに割り当てられることが可能である。特定の非限定的な例として、各サブタイル６０２に割り当てられた帯域幅は、８個のトーン上で変調された２個のＯＦＤＭシンボルから構成されてよい。１つまたは２つのサブタイル６０２は、データタイル６１０および／または６２０内に割り当てられることが可能であり、それにより、該当データタイル６１０および／または６２０で８個のトーン上で変調された２個または４個のＯＦＤＭシンボルによって表示される帯域幅をパンクチャする。
【００５９】
最後に、方法８００は、トラフィックデータ並びに／または肯定応答がブロック８０２および８０４でスケジュールされた、逆方向リンクフレーム上で対応する割り当てられたリソースを経由して端末からそれぞれ受信されるブロック８０６で終了する。端末から受信された肯定応答は、例えば、順方向リンク上で端末によって受信されたデータおよび／またはシグナリングに対応し得る。代わって、複数の肯定応答は、データおよび／またはシグナリングの複数のエレメントに対応して受信されてよい。さらに、１以上の肯定応答は、正確に受信されたデータのエレメントに関する肯定応答並びに／またはデータおよび／もしくはシグナリングの不正確に受信されたエレメントに関する否定応答であり得る。否定応答は、肯定応答が特定のデータおよび／または特定のシグナリングに起因する場合、係る肯定応答を送信することを差し控えることによって暗黙的に行われることも可能である。
【００６０】
図９は、無線通信システムでスケジュールされたトラフィックチャネル上で通信する方法９００を示す。この方法は、肯定応答チャネルが肯定応答チャネルのために利用可能にされた、トラフィックチャネル内のリソース部分だけを占有するように、トラフィックチャネルおよび肯定応答チャネルに対するシステムリソースの割当てが基地局（例えば、基地局２１０）との通信のために受信されるブロック９０２から始まる。一観点によれば、トラフィックチャネルに割り当てられ、肯定応答チャネルによって占有された帯域幅は、トラフィックチャネルのための帯域幅が方法８００に類似した方法で割り当てられる１以上のデータタイル６１０および／または６２０内の変調信号の一部に対応し得る。
【００６１】
ブロック９０２で表現された動作が終了するとすぐ、方法９００は、トラフィックデータおよび／または肯定応答がブロック９０２で割り当てられた対応するリソースを使用して基地局に送信され得るブロック９０４で完了できる。基地局に送信された肯定応答は、例えば、順方向リンク上で基地局によって受信されたデータおよび／またはシグナリングに対応し得る。代わって、複数の肯定応答は、データおよび／またはシグナリングの受信された複数のエレメントに対応して受信されてよい。さらに、１以上の肯定応答は、正しく受信されたデータのエレメントに関する肯定応答並びに／またはデータおよび／もしくはシグナリングの誤って受信されたエレメントに関する否定応答であり得る。否定応答は、肯定応答が特定のデータおよび／または特定のシグナリングに起因する場合、かかる肯定応答を送信することを差し控えることによって暗黙的に行われることも可能である。
【００６２】
次に図１０を参照すると、ここで説明される１以上の実施形態が機能し得る無線通信システム１０００の例を示すブロック図が提供される。一例において、システム１０００は、送信機システム１０１０と受信機システム１０５０とを含む多入出力（ＭＩＭＯ）システムである。しかし、送信機システム１０１０および／または受信機システム１０５０は、例えば、（例えば、基地局上の）複数の送信アンテナが１以上のシンボルストリームを単一のアンテナ装置（例えば、移動局）に送信できる多入出力システムにも応用され得ることに留意されたい。加えて、ここで説明される送信機システム１０１０および／または受信機システム１０５０の観点は、単一出力単一入力アンテナシステムに関して利用され得ることに留意されたい。
【００６３】
一観点によれば、いくつかのデータストリームに関するトラフィックデータは、送信機システム１０１０でデータ源１０１２から送信（ＴＸ）データプロセッサ１０１４に提供される。一例において、各データストリームは、次に、各々の送信アンテナ１０２４を経由して送信されてよい。加えて、ＴＸデータプロセッサ１０１４は、符号化されたデータを提供するために、各該当データストリームに関して選択された特定のコーディング方式に基づいて各データストリームに関してトラフィックデータを、フォーマット、コード、およびインタリーブできる。一例において、各データストリームに関して符号化されたデータは、次に、ＯＦＤＭ技術を使用して、パイロットデータを用いて多重化されてよい。パイロットデータは、例えば、知られている方法で処理される、知られているデータパターンであってよい。さらに、パイロットデータは、チャネル応答を推定するために受信機システム１０５０で使用できる。送信機システム１０１０に戻ると、各データストリームに関して多重化されたパイロットデータおよび符号化されたデータは、変調シンボルを提供するために各該当データストリームに関して選択された特定の変調方式（例えば、ＢＰＳＫ、ＱＳＰＫ、Ｍ−ＰＳＫ、またはＭ−ＱＡＭ）に基づいて変調（例えば、シンボルマップ）されてよい。一例において、各データストリームに関するデータ転送速度、コーディング、および変調は、プロセッサ１０３０上で実行されかつ／またはプロセッサ１０３０によって提供される命令によって決定されてよい。
【００６４】
次に、全てのデータストリームに関する変調シンボルは、（例えば、ＯＦＤＭの場合）変調シンボルをさらに処理することが可能なＴＸプロセッサ１０２０に提供されることができる。ＴＸ  ＭＩＭＯプロセッサ１０２０は、次に、ＮＴ個の送信機（ＴＭＴＲ）１０２２ａから１０２２ｔにＮＴ個の変調シンボルストリームを提供することができる。一例において、各送信機１０２２は、１以上のアナログ信号を提供するために、それぞれのシンボルストリームを受信および処理できる。各送信機１０２２は、次に、ＭＩＭＯチャネル上の伝送に適した変調信号を提供するために、アナログ信号をさらに調整（例えば、増幅、フィルタ処理、およびアップコンバート）できる。それに応じて、送信機１０２２ａから１０２２ｔまでのＮＴ個の変調信号は、次に、それぞれＮＴ個のアンテナ１０２４ａから１０２４ｔまで送信されてよい。
【００６５】
他の観点によれば、送信された変調信号は、ＮＲ個のアンテナ１０５２ａから１０５２ｒによって受信機システム１０５０で受信されてよい。各アンテナ１０５２から受信された信号は、次に、該当の受信機（ＲＣＶＲ）１０５４に提供されてよい。一例において、各受信機１０５４は、該当受信信号を調整（例えば、フィルタ処理、増幅、およびダウンコンバート）して、サンプルを提供するために調整された信号をデジタル化することができ、次に、対応する「受信された」シンボルストリームを提供するためにサンプルを処理する。ＲＸ  ＭＩＭＯ／データプロセッサ１０６０は、次に、ＮＴ個の「検出された」シンボルストリームを提供するために、特定の受信機処理技術に基づいてＮＲ個の受信機１０５４から受信されたＮＲ個のシンボルストリームを受信および処理できる。一例において、検出された各シンボルストリームは、対応するデータストリームに対して送信された変調シンボルの推定であるシンボルを含んでよい。ＲＸプロセッサ１０６０は、次に、対応するデータストリームに関するトラフィックデータを回復するために、検出された各シンボルストリームを、少なくとも一部、復調、ディインタリーブ、および復号することによって各シンボルストリームを処理できる。従って、ＲＸデータプロセッサ１０１８による処理は、送信機システム１０１０でＴＸ  ＭＩＭＯプロセッサ１０２０およびＴＸデータプロセッサ１０１４によって実行される処理に対して補完的であってよい。
【００６６】
他の例において、ＲＸプロセッサ１０６０は、ＲＸプロセッサ１０６０が同時に復調する副搬送波の数に限定されてよい。例えば、ＲＸプロセッサ１０６０は、５ＭＨｚで５１２個の副搬送波に、１．２５ＭＨｚで１２８個の副搬送波に、２．５ＭＨｚで２５６個の副搬送波に限定されてよい。さらに、ＲＸプロセッサ１０６０によって生成されたチャネル応答推定は、受信機で空間／時間処理を実行するため、電力レベルを調整するため、変調レートもしくは変調方式を変更するため、および／または他の適切な動作のために使用されてよい。加えて、ＲＸプロセッサ１０６０は、例えば、検出されたシンボルストリームのＳＮ干渉比（ＳＮＲ）などのチャネル特性をさらに推定できる。ＲＸプロセッサ１０６０は、次に、推定されたチャネル特性をプロセッサ１０７０に提供できる。一例において、ＲＸプロセッサ１０６０および／またはプロセッサ１０７０は、システムに関する「動作」ＳＮＲの推定をさらに導くことができる。プロセッサ１０７０は、次に、通信リンクおよび／または受信されたデータストリームに関する情報を備え得るチャネル状態情報（ＣＳＩ）を提供できる。この情報は、例えば、動作ＳＮＲを含んでよい。ＣＳＩは、次に、ＴＸデータプロセッサ１０７８によって処理され、変調器１０８０によって変調され、送信機１０５４ａから１０５４ｒによって調整され、送信機システム１０１０に送信し戻されることが可能である。
【００６７】
送信機システム１０１０に戻ると、受信機システム１０５０からの変調信号は、次に、アンテナ１０２４によって受信され、受信機１０２２によって調整され、復調器１０４０によって復調され、受信機システム１０５０によって報告されたＣＳＩを回復するために、ＲＸデータプロセッサ１０４２によって処理されることができる。一例において、報告されたＣＳＩは、次に、プロセッサ１０３０に提供されて、データ転送速度並びに１以上のデータストリームのために使用されることになるコーディング方式および変調方式を決定するために使用されてよい。決定されたコーディング方式および変調方式は、次に、量子化および／または受信機システム１０５０への後の伝送の際の使用のために送信機１０２２に提供されることができる。加えてかつ／またはその代わりに、報告されたＣＳＩは、ＴＸデータプロセッサ１０１４およびＴＸ  ＭＩＭＯプロセッサ１０２０のための様々な制御を生成するためにプロセッサ１０３０によって使用されてよい。
【００６８】
一例において、送信機システム１０１０でのプロセッサ１０３０および受信機システム１０５０でのプロセッサ１０７０は、それらのそれぞれのシステムで動作を指令する。加えて、送信機システム１０１０でのメモリ１０３２および受信機システム１０５０でのメモリ１０７２は、それぞれ、プロセッサ１０３０および１０７０によって使用されるプログラムコードおよびデータのために記憶を提供できる。さらに、受信機システム１０５０で、ＮＴ個の送信シンボルストリームを検出する目的でＮＲ個の受信信号を処理するために様々な処理技術が使用されてよい。これらの受信機処理技術は、等化技術と呼ばれる場合もある空間受信機処理技術、空間−時間受信機処理技術、並びに／または「逐次干渉除去」受信機処理技術もしくは「逐次除去」受信機処理技術と呼ばれる場合もある「逐次ヌリング（successive nulling）／等化および干渉除去」受信機処理技術を含んでよい。
【００６９】
図１１は、本明細書で説明される様々な観点に従って無線通信環境でトラフィックチャネルスケジューリングを調整するシステム１１００のブロック図である。一例において、システム１１００は、基地局すなわちアクセスポイント１１０２を含む。示されたように、基地局１１０２は、受信（Ｒｘ）アンテナ１１０６を経由して１以上の移動体端末１１０４から（１以上の）信号を受信して、送信（Ｔｘ）アンテナ１１０８を経由して１以上の移動体端末１１０４に送信できる。
【００７０】
加えて、基地局１１０２は、受信アンテナ１１０６から情報を受信する受信機１１１０を備えてよい。一例において、受信機１１１０は、受信された情報を復調する復調器（Ｄｅｍｏｄ）１１１２と動作可能に関連づけられることができる。復調されたシンボルは、次に、プロセッサ１１１４によって解析されてよい。プロセッサ１１１４は、コードクラスタ、アクセス端末割当て、それに関係するルックアップテーブル、ユニークなスクランブリングシーケンスに関係する情報、および／または他の適切なタイプの情報を記憶することが可能なメモリ１１１６に結合されてよい。加えてかつ／またはその代わりに、プロセッサ１１１４は、１以上のトラフィックチャネルおよび肯定応答チャネルへのシステム帯域幅の割当て、並びに／または１以上の移動体端末１１０４との通信のためにトラフィックチャネルおよび肯定応答チャネルのスケジューリングを容易にし得るスケジューリングコンポーネント１１２２に結合されてよい。一例において、基地局１１０２は、方法８００並びに／またはプロセッサ１１１４と共にもしくはプロセッサ１１１４から独立して他の類似した方法および他の適切な方法を実行するためにスケジューリングコンポーネント１１２２を用いることができる。一例において、基地局１１０２は、送信アンテナ１１０８を介した送信機１１２０による１以上のアクセス端末１１０４への伝送のために信号を多重化することが可能な変調器１１１８も含んでよい。
【００７１】
図１２は、様々な観点に従って通信スケジュールに基づいて無線通信環境でトラフィックデータの通信を調整するシステム１２００のブロック図である。一例において、システム１２００は移動体端末１２０２を含む。示されるように、移動体端末１２０２は、１以上の基地局１２０４から（１以上の）信号を受信して、アンテナ１２０８を経由して１以上の基地局１２０４に送信できる。加えて、移動体端末１２０２は、アンテナ１２０８から情報を受信する受信機１２１０を備えてよい。一例において、受信機１２１０は、受信された情報を復調する復調器（Ｄｅｍｏｄ）１２１２と動作可能に関連づけられることができる。復調シンボルは、次に、プロセッサ１２１２によって解析されてよい。プロセッサ１２１２は、移動体端末１２０２に関係するデータおよび／またはプログラムコードを記憶することが可能なメモリ１２１６に結合されてよい。加えて、移動体端末１２０２は、方法９００並びに／または他の類似した方法および他の適切な方法を実行するためにプロセッサ１２１２を用いることができる。一例において、移動体端末１２０２は、送信機１２２０による伝送のために信号を多重化することが可能な変調器１２１８をさらに含む。送信機１２２０は、次に、アンテナ１２０８を経由して、多重化された信号を１以上のトラフィックチャネル（例えば、１以上の基地局１２０４によって移動体端末１２０２に対してスケジュールされ、割り当てられた１以上のトラフィックチャネル）上で１以上の基地局１２０４に送信できる。
【００７２】
図１３は、様々な観点に従って無線通信システム（例えば、システム２００）でトラフィックチャネルをスケジュールする装置１３００を示す。装置１３００は、プロセッサ、ソフトウェア、またはそれらの組合せ（例えば、ファームウェア）によって実施される機能を表す機能ブロックであり得る機能ブロックを含むとして表わされることを理解されたい。装置１３００は、基地局（例えば、基地局２１０）に関して実施されることが可能であり、肯定応答チャネル１３０２のために利用可能リソースを含めて、リソースをトラフィックチャネルに割り当てるためのモジュールを含んでよい。一例において、装置１３００は、トラフィックチャネル１３０４内の利用可能リソースの一部だけを使用して肯定応答チャネルをスケジュールするためのモジュールと、対応するリソース１３０６を使用して（例えば、移動体端末２２０から）トラフィックデータおよび／または肯定応答を受信するためのモジュールとをさらに含んでよい。
【００７３】
図１４は、本明細書で説明される様々な観点に従って無線通信システム（例えば、システム２００）内のスケジュールされたトラフィックチャネル上で通信する装置１４００を示す。装置１４００は、プロセッサ、ソフトウェア、またはそれらの組合せ（例えば、ファームウェア）によって実施される機能を表す機能ブロックであり得る機能ブロックを含むとして表されることを理解されたい。装置１４００は、端末（例えば、移動体端末２２０）に関して実施されることが可能であり、利用可能肯定応答リソースを含むトラフィック帯域幅および利用可能肯定応答リソース１４０２の一部を占有する肯定応答帯域幅に関する割当てを受信するためのモジュールを含んでよい。一例において、装置１４００は、対応するリソース１４０４を使用して（例えば、基地局２１０に）トラフィックデータおよび／または肯定応答を送信するためのモジュールをさらに含んでよい。
【００７４】
図１５は、本明細書で説明される様々な観点に従って無線通信システム（例えば、システム１００）で用いられ得るスーパーフレームプリアンブル例１５００の例を示す。１以上の観点では、スーパーフレームプリアンブル１５００がわたる帯域幅は、１．２５ＭＨｚ、２．５ＭＨｚ、５ＭＨｚ、または他の適切な帯域幅であってよい。一例において、スーパーフレームプリアンブル１５００は、長さが８個のＯＦＤＭシンボル１５０２であり得、スーパーフレームプリアンブル１５００に対応するスーパーフレームは、その場合、２４個のフレーム（図示せず）から構成されることが可能であり、各フレームは長さが８個のＯＦＤＭシンボル１５０２である。この例は、例えば、５ＭＨｚ展開について利用されてよい。
【００７５】
代わって、スーパーフレームプリアンブル１５００の長さは、長さが１６個のＯＦＤＭシンボル１５０２に倍化されてよい。これは、例えば、２．５ＭＨｚ展開の場合、５ＭＨｚ展開と比較して２．５ＭＨｚ展開で経験される処理利得の減少の影響を弱めるために行われてよい。加えて、スーパーフレームプリアンブル１５００に対応するスーパーフレームのサイズは、次に、長さが８個のＯＦＤＭシンボル１５０２である４８個のフレーム（図示せず）に倍化されてよい。これは、例えば、より大きなスーパーフレームプリアンブルに関連するオーバヘッド量を低減するために行われてよい。
【００７６】
他の代替として、スーパーフレームプリアンブル１５００の長さは、長さが４個から３２個のＯＦＤＭシンボル１５０２に応じて増大されてよい。これは、例えば、１．２５ＭＨｚ展開の場合、５ＭＨｚ展開と比較して１．２５ＭＨｚ展開で経験される処理利得の減少の影響を弱めるために行われてよい。加えて、スーパーフレームプリアンブル１５００に対応するスーパーフレームのサイズは、次に、より大きなスーパーフレームプリアンブルに関連するオーバヘッド量を減少させるために４８個のフレーム（図示せず）に倍化されることもできる。
【００７７】
様々な例において、スーパーフレームプリアンブル１５００を構成するＯＦＤＭシンボル１５０２の数とスーパーフレームプリアンブル１５００に対応するスーパーフレーム内のフレームの数および／または対応するスーパーフレーム内の各フレームを構成するＯＦＤＭシンボル１５０２の数の関係は展開によって変化してよい。これらの因数は、例えば、十分低いオーバヘッドを維持すると同時に、スーパーフレームプリアンブル１５００で維持される情報を復調する目的で十分な能力を提供するために変化してよい。一観点によれば、１０％未満のオーバヘッドがスーパーフレームプリアンブル１５００のために維持されることができる。
【００７８】
図１６は、様々な観点による、多元接続無線通信システムのためのフレーム構造１６００の例を示す。一観点によれば、フレーム構造１６００は、１以上のシステム設計パラメータによる通信のために利用可能帯域幅に対応し得る。一例において、フレーム構造１６００は、各々が１以上のスーパーフレーム（例えば、スーパーフレーム７１０）のうちの一部を備え得る、１以上の順方向リンクフレーム１６０４と１以上の逆方向リンクフレーム１６０８とを含む。
【００７９】
一観点によれば、各順方向リンクフレーム１６０４は１以上の制御チャネル１６０６を含んでよい。各順方向リンク制御チャネル１６０６は、無線通信システム（例えば、システム１００）の適切な動作のために必要な機能に関する情報を提供できる。例えば、これらの機能は、獲得、システム内の各アクセス端末（例えば、端末１２０）に対する順方向リンク割当て（順方向リンク割当ては、ブロードキャストメッセージタイプ、マルチキャストメッセージタイプ、およびユニキャストメッセージタイプに関して均一であっても、または不均一であってもよい）、各アクセス端末に対する逆方向リンク割当て、各アクセス端末に関する逆方向リンク電力制御、逆方向リンク肯定応答、および／または他の適切な機能のうちの１以上に関係してよい。一例において、順方向リンク制御チャネル１６０６は、ホッピングシーケンスに従って各順方向リンクフレーム１６０４内でホップできる。順方向リンク上で制御チャネル１６０４に割り当てられたホッピングシーケンスは、１以上の順方向リンクデータチャネル（図示せず）に割り当てられたホッピングシーケンスと同じであってよい。代わって、順方向リンク制御チャネル１６０４に割り当てられたホッピングシーケンスは、制御チャネル１６０４に対してユニークであってよい。
【００８０】
他の観点によれば、各逆方向リンクフレーム１６０８は、１以上の逆方向リンク伝送１６１２、１６１４、および１６１６（例えば、端末１２０）を含んでよい。逆方向リンク伝送１６１２、１６１４、および１６１６は、連続ＯＦＤＭシンボルのブロックであるとしてフレーム構造で示される。しかし、逆方向リンク伝送１６１２、１６１４、および／または１６１６は、代わって、各伝送１６１２、１６１４、および／または１６１６が非連続シンボルブロックに対応し得るシンボルレートホッピングを利用できる点に留意されたい。一例において、各逆方向リンクフレーム１６０８は、１以上の逆方向リンク制御チャネル１６１８をさらに含んでよい。非限定的な例として、逆方向リンク制御チャネル１６１８は、フィードバックチャネル、逆方向リンクチャネル推定のためのパイロットチャネル、（例えば、基地局１１０および／もしくはシステムコントローラ１３０によって提供される通信スケジュールに従って）逆方向リンク伝送１６１２〜１６１６内に含まれ得る肯定応答チャネル、並びに／または他の適切なチャネルを含んでよい。さらに、各逆方向リンク制御チャネル１６１８は、無線通信システム（例えば、システム１００）の適切な動作のために必要な機能に関する情報を提供できる。例えば、これらの機能は、システム内の各アクセス端末による順方向リンクおよび逆方向リンクのリソース要求、チャネル情報（例えば、異なるタイプの伝送に関するチャネル品質情報（ＣＱＩ））、チャネル推定目的でアクセスポイント（例えば、基地局１１０）によって使用され得るアクセス端末からのパイロット、および／または他の適切な機能のうちの１以上に関係してよい。一例において、逆方向リンク制御チャネル１６１８は、ホッピングシーケンスに従って各逆方向リンクフレーム１６０８内でホップできる。逆方向リンク上で制御チャネル１６１８に割り当てられたホッピングシーケンスは、１以上の逆方向リンクデータチャネル（図示せず）に割り当てられたホッピングシーケンスと同じであってよい。代わって、逆方向リンク制御チャネル１６１８に割り当てられたホッピングシーケンスは、制御チャネル１６１８に対してユニークであってよい。
【００８１】
一観点によれば、直交コード、スクランブリングシーケンスなどのうちの１以上が逆方向リンク制御チャネル１６１８上でユーザを多重化するために利用でき、それにより、各ユーザおよび／または逆方向リンク制御チャネル１６１８内で送信される各ユニークタイプの情報を分離する。一例において、直交コードはユーザに特定であり得る。加えてかつ／またはその代わりに、直交コードは、各通信セッションまたはより短い期間（例えば、各スーパーフレーム７１０）のためにアクセスポイントによって各アクセス端末に割り当てられることができる。
【００８２】
他の観点によれば、ＯＦＤＭシンボル内で利用可能副搬送波のうちのいくつかは、ガード副搬送波（guard subcarriers）として指定されることが可能であり、変調されなくてよい。従って、エネルギーはガード副搬送波として指定された副搬送波上で送信されなくてよい。一例において、スーパーフレームプリアンブル（例えば、スーパーフレームプリアンブル１５００）内および／または対応するスーパーフレーム（例えば、スーパーフレーム７１０）内の各フレーム内で使用されることになるいくつかのガード副搬送波は、順方向リンク制御チャネル１６０６内および／または順方向リンクスーパーフレームプリアンブル内に含まれた１以上のメッセージを経由して提供されてよい。さらなる観点によれば、１以上のパケットは、アクセス端末へのオーバヘッド伝送を低減するために特定のアクセス端末に関して共同で符号化されてよい。一例において、パケット内に含まれるシンボルが複数の副搬送波上で送信される場合でさえ、パケットは共同で符号化されることができる。従って、単一の巡回冗長検査がパケットに関して利用されることが可能であり、それにより、パケットからのシンボルを含む伝送間で巡回冗長検査のオーバヘッド伝送を低減する。
【００８３】
図１７Ａは、様々な観点による、多元接続無線通信システムのための順方向リンクフレーム構造１７０２の例を示す。一例において、順方向リンクフレーム１７０２は所定数のＯＦＤＭシンボルから構成されてよい。さらに、順方向リンクフレーム１７０２は、制御チャネル１７１０と１以上のデータチャネル１７２２とに分割されてよい。一観点によれば、制御チャネル１７１０は、副搬送波の連続グループまたは非連続グループを備えてよい。さらに、可変数の副搬送波は制御チャネル１７１０を備えてよい。制御チャネル１７１０を備える副搬送波の数は、所望される制御データ量および／または他の適切な考慮事項に応じて割り当てられることができる。他の観点によれば、データチャネル１７２２は、通常、データ伝送のために利用可能であってよい。
【００８４】
一例において、制御チャネル１７１０は、１以上のシグナリングチャネル１７１２〜１７１８を含んでよい。シグナリングチャネル１７１２〜１７１８は、適時に多重化されているとして順方向リンクフレーム１７０２内に示されるものの、シグナリングチャネル１７１２〜１７１８は、異なる直交コード、準直交コード、もしくはスクランブリングコード；異なる周波数；並びに／または時間、コード、および周波数の任意の組合せを使用して多重化されることもできることに留意されたい。一例において、制御チャネル１７１０内のシグナリングチャネル１７１２〜１７１８は、１以上のパイロットチャネル１７１２および／または１７１４を含んでよい。シンボルレートホッピングモード（例えば、シンボルレートホッピングモード７２２）で順方向リンクフレーム１７０２が利用される非限定的な例において、パイロットチャネル１７１２および／または１７１４は、順方向リンクフレーム１７０２内の各ＯＦＤＭシンボル上に存在してよい。従って、パイロットチャネル１７１２および／または１７１４は、係る例において制御チャネル１７１０内に存在し得ない。他の例において、制御チャネル１７１０は、シグナリングチャネル１７１６および電力制御チャネル１７１８のうちの１つまたは複数を含んでよい。一例において、シグナリングチャネル１７１６は、割当て、肯定応答、並びに／またはデータ、制御、およびパイロットに関する電力基準および電力調整／もしくは逆方向リンク上の伝送を含んでよい。さらに、電力制御チャネル１７１８は、セクタ内のアクセス端末（例えば、端末１００）からの伝送により無線通信システム内の様々なセクタ（例えば、システム１００のセクタ１０４）で発生する干渉に関する情報を含んでよい。
【００８５】
他の観点によれば、順方向リンクフレーム１７０２は、順方向リンクフレーム１７０２に割り当てられた帯域幅の端に副搬送波１７２０をさらに含んでよい。これらの副搬送波１７２０は、例えば、準ガード副搬送波として機能してよい。上の観点の１つまたは複数によれば、（例えば、基地局１１０および／または端末１２０で）複数の送信アンテナがセクタ（例えば、セクタ１０４）に関して送信され得る場合、使用される送信アンテナの各々は、共通のスーパーフレームタイミング、スーパーフレーム指標、ＯＦＤＭシンボル特性、および／またはホップシーケンスを共有できることを理解されたい。さらに、制御チャネル１７１０は、１以上の観点におけるデータ伝送と同じ割当てを備え得ることに留意されたい。例えば、１以上のデータ伝送が（例えば、ブロックホッピングモード７２０により）ブロックホッピングを利用する場合、類似サイズまたは非類似サイズのブロックが制御チャネル１７１０に割り当てられることができる。
【００８６】
図１７Ｂは、様々な観点による、多元接続無線通信システムのための逆方向リンクフレーム構造１７０４の例を示す。一例において、逆方向リンクフレーム１７０４は、制御チャネル１７３０と、１以上のデータチャネル１７４２と、１以上のエッジ副搬送波（edge subcarriers）１７４０とを順方向リンクフレーム１７０２と同じように含んでよい。代替の例において、データチャネル１７４２は、与えられた逆方向リンクフレーム１７０４内でブロックホッピングモード（例えば、ブロックホッピングモード７２０）またはシンボルレートホッピングモード（例えば、シンボルレートホッピングモード７２２）に従って動作できる。加えて、データチャネルは、異なる逆方向リンクフレーム１７０４で単一のモードに従ってまたは異なる逆方向リンクフレーム１７０４に関する異なるモードに従って動作できる。さらに、制御チャネル１７３０は、逆方向リンクフレーム１７０４で示されたように、適時に多重化され得るシグナリングチャネル１７３２〜１７３８から構成されてよい。代わって、シグナリングチャネル１７３２〜１７３８は、異なる直交コード、準直交コード、もしくはスクランブリングコード；異なる周波数；並びに／または時間、コード、および周波数の任意の組合せを使用して多重化されることができる。
【００８７】
一例において、制御チャネル１７３０内のシグナリングチャネル１７３２〜１７３８はパイロットチャネル１７３２を含んでよい。パイロットチャネル１７３２は、一例において、アクセスポイント（例えば、基地局１１０）が逆方向リンクを推定することを可能にし得るパイロットを含んでよい。制御チャネル１７３０はまた、アクセス端末（例えば、端末１２０）が次の順方向リンクフレーム１７０２および／または逆方向リンクフレーム１７０４に関するリソースを要求することを可能にするための情報を含み得る要求チャネル１７３４を含んでもよい。
【００８８】
他の例において、制御チャネル１７３０は、その上で１以上のアクセス端末がチャネル情報（ＣＱＩ）に関するフィードバックを提供することが可能な逆方向リンクフィードバックチャネル１７３６を含んでよい。一例において、アクセス端末によって逆方向リンクフィードバックチャネル１７３６上で提供されるＣＱＩは、１以上のスケジュールされたモードおよび／またはアクセス端末への伝送に関するスケジューリングのために利用可能モードに関係してよい。例として、ＣＱＩが関係し得るモードは、ビーム形成、ＳＤＭＡ、プリコーディング、および／またはそれらの任意の適切な組合せを含む。他の例において、制御チャネル１７３０は、アクセスポイントがアクセス端末による１以上の逆方向リンク伝送（例えば、データ伝送および／またはシグナリング伝送）のために電力制御命令を生成することを可能にする基準として使用され得る電力制御チャネル１７３８をさらに含んでよい。一例において、１以上のフィードバックチャネル１７３６は電力制御チャネル１７３８内に含まれてよい。
【００８９】
ここで説明された実施形態は、ハードウェア、ソフトウェア、ファームウェア、ミドルウェア、マイクロコード、またはそれらの任意の組合せによって実施され得る点を理解されたい。システムおよび／または方法がソフトウェア、ファームウェア、ミドルウェアもしくはマイクロコード、プログラムコードもしくはコード区分によって実施される場合、それらのシステムおよび／または方法は、記憶コンポーネントなど、機械可読媒体内に記憶されることができる。コード区分は、手順、機能、サブプログラム、プログラム、ルーチン、サブルーチン、モジュール、ソフトウェアパッケージ、クラス、または命令、データ構造、もしくはプログラム文の任意の組合せを表現してよい。コード区分は、情報、データ、引数、パラメータ、もしくはメモリコンテンツを手渡すことおよび／または受信することによって、他のコード区分またはハードウェア回路に結合されることができる。情報、引数、パラメータ、データなどは、メモリの共有、メッセージの手渡し、トークンの手渡し、ネットワーク伝送などを含む任意の適切な手段を使用して、手渡し、転送、または送信できる。
【００９０】
ソフトウェア実装の場合、本明細書で説明される技術は、本明細書で説明される機能を実行するモジュール（例えば、手順、機能など）を用いて実施できる。ソフトウェアコードは、メモリ装置内に記憶されて、プロセッサによって実行されてよい。メモリ装置は、プロセッサ内で実施されてよく、またはプロセッサの外部で実施されてもよく、その場合、プロセッサは当技術分野で知られている様々な手段によりプロセッサに通信可能に結合されてよい。
【００９１】
上で説明されたことは、１以上の実施形態を含む。前述の実施形態を説明する目的で、コンポーネントまたは方法の全ての考えられる組合せを説明することは当然不可能であるが、当業者は、様々な実施形態の多くのさらなる組合せおよび置換ができることを認識されよう。従って、説明された実施形態は、特許請求の精神内および範囲内に該当する全てのかかる変更形態、修正形態、および改変形態を包括することが意図される。さらに、用語「含む」が詳細な説明または特許請求の範囲のいずれかで使用される範囲で、係る用語は、用語「備える」が特許請求の範囲内の移行語として用いられる場合に解釈される用語「備える」と同じように包括的であることが意図される。さらに、詳細な説明または特許請求の範囲のいずれかで使用される用語「または」は「非排他的なまたは」であることが意図される。
【図１】
2009538064.tif 000003
【図２Ａ】
2009538064.tif 000004
【図２Ｂ】
2009538064.tif 000005
【図３Ａ】
2009538064.tif 000006
【図３Ｂ】
2009538064.tif 000007
【図４】
2009538064.tif 000008
【図５】
2009538064.tif 000009
【図６Ａ】
2009538064.tif 000010
【図６Ｂ】
2009538064.tif 000011
【図７Ａ】
2009538064.tif 000012
【図７Ｂ】
2009538064.tif 000013
【図８】
2009538064.tif 000014
【図９】
2009538064.tif 000015
【図１０】
2009538064.tif 000016
【図１１】
2009538064.tif 000017
【図１２】
2009538064.tif 000018
【図１３】
2009538064.tif 000019
【図１４】
2009538064.tif 000020
【図１５】
2009538064.tif 000021
【図１６】
2009538064.tif 000022
【図１７Ａ】
2009538064.tif 000023
【図１７Ｂ】
2009538064.tif 000024
【国際調査報告】
2009538064.tif 000025
2009538064.tif 000026